(57)【要約】      （修正有）【課題】太陽光発電に用い、防水、防塵性の向上を図った電子装置の筺体を提供する。【解決手段】電子装置筐体は、第一筐体１、防水シール材２及び第二筐体３を具え、第一筐体は、筐体周壁１１内に納置空間を形成し、筐体周壁内側に掛合接続部１３を備える。筐体周壁上縁には内向きに段差を有する環状凹溝１１１を設けて防水シール材を埋設する。第二筐体は第一筐体に対して納置空間を設けて蓋をし、第二筐体に環状凸稜３１を設けると共にその内側に配置した掛合部３３を掛合接続部１３に掛合して、環状凸稜を環状凹溝内に埋設した防水シール材を押圧させて密封する。【選択図】図６
0003190964.tif 000002
【実用新案登録請求の範囲】
【請求項１】
太陽光発電に用いる電子装置の筐体において、
筐体周壁、該筐体周壁内に形成する納置空間及び該筐体周壁内側に配置した少なくとも一つの掛合接続部を備え、該筐体周壁上縁に内向きに段差を有する環状凹溝を設置した第一筐体と、
該環状凹溝に埋設する防水シール材と、
該第一筐体と相対して該納置空間に蓋をする該第二筐体とから構成し、
該第二筐体は、前記環状凹溝に対応する環状凸稜を設けると共環状凸稜内側に少なくとも一つの掛合部を前記掛合接続部に対応して設けて、該掛合部を該掛合接続部に係合して前記第一筐体と第二筐体とを接合して蓋をすると共に、該環状凸稜を該環状凹溝内に嵌入させて該環状凹溝内に埋設した防水シール材を押圧挟持する、
ことを特徴とする太陽光発電に用いる電子装置の筐体。
【請求項２】
前記第二筐体には、前記納置空間内方向に少なくとも一つの押圧突起が延長形成されて、前記掛合部は該押圧突起の末端に設けられ、前記筐体周壁は内壁を備えて前記掛合接続部は該内壁面に形成したことを特徴とする請求項１記載の太陽光発電に用いる電子装置の筐体。
【請求項３】
前記内壁の上縁と前記第二筐体との間に間隔距離を設けたことを特徴とする請求項２記載の太陽光発電に用いる電子装置の筐体。
【請求項４】
前記押圧突起及び掛合接続部は複数であり、該複数の押圧突起は、それぞれ該第二筐体の相対する両側に形成し、該複数の掛合接続部は該内壁の相対する両側に成形したことを特徴とする請求項２記載の太陽光発電に用いる電子装置の筐体。
【請求項５】
前記掛合部は、押圧突起末端から突出した挟持突起から構成され、前記掛合接続部は前記内壁面に設けた挟持溝で構成され、該挟持突起は該挟持溝に係合して挟持することを特徴とする請求項２記載の太陽光発電に用いる電子装置の筐体。
【請求項６】
前記筐体周壁の相対する両側は、それぞれ少なくとも一つの掛合溝を設け、前記第二筐体の相対する両側には、それぞれ少なくとも一つの掛合突起が延長形成され、該掛合突起は該掛合溝に対応して掛合することを特徴とする請求項１記載の太陽光発電に用いる電子装置の筐体。
【請求項７】
前記掛合突起は、前記第二筐体から突出したＬ型突起から構成され、前記掛合溝は前記筐体周壁上縁から内方に向けて外側まで開設したＬ型通孔で構成され、該Ｌ型突起は該Ｌ型通孔に対応して掛合することを特徴とする請求項６記載の太陽光発電に用いる電子装置の筐体。
【請求項８】
前記防水シール材は防水リングであることを特徴とする請求項１記載の太陽光発電に用いる電子装置の筐体。
【請求項９】
前記防水リングは、該環状凹溝を囲んだ発泡スチロールで構成されることを特徴とする請求項８記載の太陽光発電に用いる電子装置の筐体。
【請求項１０】
前記筐体周壁一側は、複数のＡＣ出力孔及び複数のＤＣ出力孔を設置することを特徴とする請求項１記載の太陽光発電に用いる電子装置の筐体。
【考案の詳細な説明】
【技術分野】
【０００１】
本考案は、太陽光発電装置の接続装置もしくは逆変換装置等の電子装置に関わるもので、特に、これらの電子装置の筐体に係わる。
【背景技術】
【０００２】
環境保護の提唱により、太陽光発電技術は既に省エネルギーによる環境保護の重要な手段の一つになっている。現在、政府は極力太陽光発電所及び一般家用太陽光発電システムを普及させようとしており、太陽光発電技術は日々広く応用されるようになっている。
【０００３】
太陽光発電技術は、ソーラーパネルで光エネルギーを直接電気エネルギーに転換し、次にケーブルを通してソーラーパネルで発生した電気エネルギーを伝送して利用する。そのため、太陽光発電技術は接続装置もしくは逆変換装置等の電子装置が必要で、ケーブルで光電の転換箇所で接続装置を用いて転換するか、もしくはソーラーパネルで発生した電気エネルギーを、逆変換装置で直流電流（Direct Current，ＤＣ）を交流電流（Alternating Current，ＡＣ）に転換する。
【先行技術文献】
【特許文献】
【０００４】
【特許文献１】特開２００４−３１４８１号公報
【考案の概要】
【考案が解決しようとする課題】
【０００５】
解決しようとする問題点は、接続装置もしくは逆変換装置等電子装置はソーラーパネルと共に戸外に設置するため、環境中の水蒸気及びミクロな塵埃が接続装置もしくは逆変換装置等電子装置的内部に侵入し、ケーブルもしくは電子部品が腐食され、更には光電転換機能に影響を与える。そのため、如何にして太陽光を用いた電子装置の防水、防塵レベルを向上する事ができるかが，太陽光を用いた電子装置を改善するための重要な要件の一つである。
【課題を解決するための手段】
【０００６】
本考案は、第一筐体、防水シール材及び第二筐体を具える。第一筐体は、筐体周壁、筐体周壁内に形成した納置空間及び筐体周壁内側に配置した少なくとも掛合接続部を備える。筐体周壁は最上部から内向きに環状凹溝を設置する。防水シール材は環状凹溝に埋設する。第二筐体と第一筐体は連接し、納置空間に対応して蓋をする。第二筐体は環状凸稜及び環状凸稜内側に配置した少なくとも掛合部を備え、掛合部は掛合接続部に対応して掛合し、環状凸稜を動かして環状凹溝内に嵌入し、それらに拠って防水シール材が環状凸稜及び筐体周壁の間に挟持されることを最も主要な特徴とする。
【考案の効果】
【０００７】
本考案の太陽光発電に用いる電子装置の筐体は、太陽光を用いた電子装置の防水、防塵能力が向上するという利点がある。
【図面の簡単な説明】
【０００８】
【図１】本考案の太陽光発電に用いる電子装置の筐体第一実施例の立体分解図である。
【図２】本考案の太陽光発電に用いる電子装置の筐体第一実施例の別の一立体分解図である。
【図３】本考案の太陽光発電に用いる電子装置の筐体第一実施例の立体組立図である。
【図４】本考案の太陽光発電に用いる電子装置の筐体第一実施例の別の一立体組立図である。
【図５】本考案の図４の５-５断面線に沿った断面指示図である。
【図６】本考案の図５Ａ部分の局部拡大図である。
【図７】本考案の図４の７-７断面線に沿った断面指示図である。
【図８】本考案の図７Ｂ部分の局部拡大図である。
【考案を実施するための形態】
【０００９】
掛合部によって掛合接続部を対応して掛合し、環状凸稜を動かして環状凹溝内に嵌入し、環状凸稜が防水シール材を押さえ防水シール材を変形させ、防水シール材が更に筐体周壁にしっかりと密着し、太陽光を用いた電子装置の防水防塵能力を高める太陽光発電に用いる電子装置の筐体を提供することを本考案の目的の一つとする。
【００１０】
上述の目的を達成するため、本考案は該環状凹溝に防水シール材を埋設した太陽光発電に用いる電子装置の筐体を提供する。それは以下を含む。
【００１１】
第一筐体は、筐体周壁、該筐体周壁内に形成した納置空間及び該筐体周壁内側に配置した少なくとも一掛合接続部を備え、該筐体周壁は最上部から内向きに環状凹溝を成形する
【００１２】
防水シール材は、該環状凹溝に埋設する。
【００１３】
第二筐体は、該第一筐体と連接し、該納置空間に対応して蓋をし、環状凸稜及び該環状凸稜内側に配置した少なくとも一つの掛合部を備え、該掛合部は該掛合接続部に対応して掛合し、該環状凸稜を動かして該環状凹溝内に嵌入し、それによって該環状凹溝に埋設された該防水シール材が該環状凸稜及び該筐体周壁の間に挟持される。
【実施例】
【００１４】
本考案の詳細説明及び技術内容について、図式と共に以下に説明するが、図式は説明するためであり、本考案を限定するものではない。
【００１５】
図１から図８に示すとおり、本考案は太陽光を用いた電子装置の第一実施例であり、その太陽光発電に用いる電子装置の筐体１０は、第一筐体１、防水シール材２及び第二筐体３を含む
【００１６】
図１から図４に示すのは、本願の太陽光を用いた電子装置１０であり、逆変換装置、接続装置もしくは接続及び逆変換機構を統合した装置である。本実施例の太陽光を用いた電子装置１０は接続及び逆変換機構を統合した複合装置とするが、それに制限されない。
【００１７】
図１から図８に示すとおり、第一筐体１は筐体周壁１１、筐体周壁１１内に形成した納置空間１２及び筐体周壁１１内側に配置した一もしくは複数の掛合接続部１３を備え、筐体周壁１１は上縁部から内側に向かって環状凹溝１１１を形成する。
【００１８】
以下に詳しく説明すると、筐体周壁１１は内壁１４を備え、掛合接続部１３は内壁１４に形成する。その掛合接続部１３は内壁１４に開設した挟持溝１４１によって構成される。
【００１９】
その他、筐体周壁１１の相対する両側には、それぞれ一もしくは複数の掛合溝１１３を設けて、その掛合溝１１３は筐体周壁１１上縁の内側から外側に向かって設置したＬ型通孔１１４によって構成される。本実施例の掛合溝１１３の数量は複数とするがそれに限定されない。
【００２０】
その他、筐体周壁１１の一側には複数のＡＣ出力孔１１７及び複数のＤＣ出力孔１１８を設置する。ＡＣ出力孔１１７はＡＣ電源伝送線を定位するのに用い、ＤＣ出力孔１１８はＤＣ電源伝送線を定位するのに用い、更に、第一筐体１は納置空間１２内に向かって複数の仕切板１５が延びる。
【００２１】
図１から図８に示すとおり、防水シール材２は、環状凹溝１１１内に埋め込む。この防水シール材２は市場でよく見られる防水リング２１であり、その防水リング２１はゴム、シリコン等の防水弾性材質で構成されるか、もしくは環状凹溝１１１内を囲むＰＵ（Polyurethane，ポリウレタン）発泡スチロールから構成される。
【００２２】
図１から図８に示すとおり、第二筐体３と第一筐体１は連接し、更に納置空間１２に対応して蓋合する。第二筐体３は環状凸稜３１及び環状凸稜３１内側に配置する一もしくは複数の掛合部３２を備え、掛合部３２は掛合接続部１３に対応して掛合し、環状凸稜３１を環状凹溝１１１内に嵌入し、それによって防水シール材２が環状凸稜３１及び筐体周壁１１の間に挟持される。
【００２３】
更に詳説すると、第二筐体３には納置空間１２向きに一もしくは複数の押圧突起３３を延長して形成し、掛合部３２を押圧突起３３の末端に成形する。
【００２４】
その他、掛合部３２は押圧突起３３末端から突出した挟持突起３３１で構成され、挟持突起３３１は挟持溝１４１に対応して掛合し、掛合部３２を掛合接続部１３に対応して掛合する。同様にして、掛合接続部１３は内壁１４から延びた挟持突起で構成され、掛合部３２は押圧突起３３末端から開設した挟持溝で構成され、上述の機能及び効果を達成する。
【００２５】
更に、内壁１４の最上部と第二筐体３の間は間隔距離Ｓを備え、掛合部３２を掛合接続部１３に対応して掛合した時、間隔距離Ｓを掛合部３２及び掛合接続部１３の間に保つ。
【００２６】
本実施例の掛合部３２及び掛合接続部１３の数量は複数とするがそれに限定されない。拠って、押圧突起３３の数量も複数とする。各押圧突起３３は、それぞれ第二筐体３の相対する両側に成形し、第二筐体３両側の掛合部３２を内壁１４両側の掛合接続部１３に対応して掛合した時、環状凸稜３１の両側も力を受けて動かされ、環状凹溝１１１内に押圧嵌入し、更に防水シール材２が環状凸稜３１及び筐体周壁１１の間に挟持される。
【００２７】
また、第二筐体３の相対する両側には、それぞれ一もしくは複数の掛合突起３４が延長形成され、掛合突起３４は第二筐体３の突出したＬ型突起３５から構成され、Ｌ型突起３５はＬ型通孔１１４に対応して掛合し、掛合突起３４を掛合溝１１３に対応して掛合し、第二筐体３と第一筐体１は相互に掛合接続する。本実施例の掛合突起３４の数量は、複数とするがそれに限定されない。
【００２８】
図１から図３に示すとおり、本考案の太陽光を用いた電子装置１０は、更に回路板４及び複数のコネクタ５を具える。回路板４及び各コネクタ５は納置空間１２に納置して互いに電気的に接続する。
【００２９】
更に、回路板４は電気的に接続した第一回路板４１、第二回路板４２及び第三回路板４３からなる。第一回路板４１及び第二回路板４２は共同で逆変換回路を構成し、第三回路板４３は接続回路を構成し、各コネクタ５は第三回路板４３上に溶接する。仕切板１５は第一回路板４１、第二回路板４２及び第三回路板４３の間に設置する。
【００３０】
図４から図６に示すとおり、本考案の太陽光を用いた電子装置１０は、第一筐体１に筐体周壁１１、筐体周壁１１内に形成した納置空間１２及び筐体周壁１１内側に配置した掛合接続部１３を備える。筐体周壁１１は、最上部から内向きに環状凹溝１１１を設置する。防水シール材２は環状凹溝１１１に埋設する。第二筐体３と第一筐体１は連接し、納置空間１２に対応して二を閉じる。第二筐体３は環状凸稜３１及び環状凸稜３１内側に配置した掛合部３２を備え、掛合部３２は掛合接続部１３に対応して掛合し、環状凸稜３１を動かして環状凹溝１１１内に嵌入する。それによって防水シール材２が環状凸稜３１及び筐体周壁１１の間に挟持される。これらに拠って、環状凸稜３１が防水シール材２を押さえて防水シール材２を変形させ、更に防水シール材２をよりしっかりと筐体周壁１１に密着させ、太陽光を用いた電子装置１０の防水防塵能力を向上させる。
【００３１】
図４から図６に示すとおり、本考案の太陽光を用いた電子装置１０の使用状態として、第一筐体１に筐体周壁１１内側に配置した掛合接続部１３を備え、筐体周壁１１は最上部から内向きに環状凹溝１１１を設置し、防水シール材２は環状凹溝１１１に埋設する。第二筐体３は環状凸稜３１内側に配置した掛合部３２を備え、掛合部３２は掛合接続部１３を対応して掛合し、環状凸稜３１を動かして環状凹溝１１１内に嵌入する。それらに拠って、防水シール材２は環状凸稜３１及び筐体周壁１１の間に挟持される。筐体周壁１１内側に配置した掛合接続部１３及び環状凸稜３１内側に配置した掛合部３２は相互掛合し、環状凸稜３１を下に押して環状凹溝１１１内に嵌入し、防水シール材２を押さえる。そして防水シール材２が変形し更に緊密に環状凹溝１１１内壁及び環状凸稜３１に密着し、太陽光発電に用いる電子装置の筐体１０の防水防塵能力が向上する。
【００３２】
そのうち，掛合接続部１３は筐体周壁１１内側に配置し、掛合部３２は環状凸稜３１内側に配置する。掛合接続部１３及び掛合部３２の構造は外へ露出しないので、美観の問題を考慮しなくても済む。掛合部３２及び掛合接続部１３の構造を安定及び緊密にすることで、更に確実に環状凸稜３１が下へ動いて環状凹溝１１１に嵌入し、防水シール材２を押圧して密封する。
【００３３】
他に、筐体周壁１１は内壁１４を備え、掛合接続部１３は内壁１４上で形成し、内壁１４の最上部と第二筐体３の間は間隔距離Ｓを備える。掛合部３２が掛合接続部１３に対応して掛合した時、間隔距離Ｓは掛合部３２及び掛合接続部１３の間に配置し、弾性圧縮空間を形成し、掛合部３２及び掛合接続部１３の掛合有空間を微妙に調整し、掛合部３２及び掛合接続部１３の結合を更に安定して緊密にする。
【００３４】
更に掛合部３２は押圧突起３３末端から突出した挟持突起３３１で構成され、掛合接続部１３は内壁１４上から開設された挟持溝１４１で構成される。挟持突起３３１は挟持溝１４１に対応して挟持し、太陽光を用いた電子装置１０を簡単な部品によって環状凸稜３１が防水シール材２を押圧して密封する目的を達成する。
【００３５】
また、公知の太陽光を用いた電子装置の筐体は、ほとんどが固定方式で組み立てる。そのため、太陽光を用いた電子装置が修理を必要とする時、通常工具（例としてドライバー）を用いてやっと取り外すことができるため、修理を行う者は時間がかかり不便である。これに対して、本考案の太陽光を用いた電子装置１０は、筐体周壁１１の相対する両側に掛合溝１１３を設置し、第二筐体３の相対する両側には掛合突起３４が延び、掛合突起３４が掛合溝１１３に対応して掛合するので、第一筐体１及び第二筐体３の組立は、ネジが必要でなく、太陽光を用いた電子装置１０の組立の便利性を達成する。
【００３６】
並びに、太陽光を用いた電子装置１０は接続装置もしくは接続及び逆変換機構の統合複合装置であり、筐体周壁１１一側にはＡＣ出力孔１１７及びＤＣ出力孔１１８を設置し、ＡＣ出力孔１１７及びＤＣ出力孔１１８を一側に統一集中し、更に太陽光を用いた電子装置１０と外部との電気的接続を便利にする。
【００３７】
且つ、第一筐体１は納置空間１２内向きに仕切板１５が延び、仕切板１５は第一回路板４１、第二回路板４２及び第三回路板４３の間に設置する。そのため、仕切板１５は第一回路板４１、第二回路板４２及び第三回路板４３の間で絶縁作用を提供し、第一回路板４１、第二回路板４２及び第三回路板４３の間に発生する火花を防止し、太陽光を用いた電子装置１０は良好な安全使用性を備える。
【符号の説明】
【００３８】
１０      太陽光発電に用いる電子装置の筐体
１      第一筐体
１１      筐体周壁
１１１      環状凹溝
１１３      掛合溝
１１４      Ｌ型通孔
１１７      ＡＣ出力孔
１１８      ＤＣ出力孔
１２      納置空間
１３      掛合接続部
１４      内壁
１４１      挟持溝
１５      仕切板
２      防水シール材
２１      防水リング
３      第二筐体
３１      環状凸稜
３２      掛合部
３３      押圧突起
３３１      挟持突起
３４      掛合突起
３５      Ｌ型突起
４      回路板
４１      第一回路板
４２      第二回路板
４３      第三回路板
５      コネクタ
Ｓ      間隔距離
【図１】
0003190964.tif 000003
【図２】
0003190964.tif 000004
【図３】
0003190964.tif 000005
【図４】
0003190964.tif 000006
【図５】
0003190964.tif 000007
【図６】
0003190964.tif 000008
【図７】
0003190964.tif 000009
【図８】
0003190964.tif 000010